(57)【特許請求の範囲】
【請求項１】
常に閉方向に付勢されて相手材である端子台に設けられた接続端子側に向けられる先端部と、該先端部の側を強制的に開操作するための基端部とを有して軸受部相互が軸支された一側クリップ片と他側クリップ片とで前記接続端子への電気的な導通接触を自在に形成される接続用クリップにおいて、
前記一側クリップ片は、他側クリップ片の前記先端部方向に向けて突出させた導通接触部を前記先端部の開放端近傍の内側面側に備え、
前記他側クリップ片は、前記先端部の長さが一側クリップ片の前記先端部よりも長くして形成され、
前記端子台の一側端部における垂直端面側を除く三方が壁面で囲まれた囲繞領域内に配設された前記接続端子の奥側へと一側クリップ片の前記導通接触部を配置し、他側クリップ片の前記先端部を端子台の内側面を前記垂直端面側に当接支持させた際に、前記先端部相互間で前記接続端子への挟持力の生成を可能としたことを特徴とする接続用クリップ。
【請求項２】
他側クリップ片の前記先端部は、前記接続端子側から引き出されたリード側端子を導出するための切欠部を前記開放端側に設けたことを特徴とする請求項１に記載の接続用クリップ。
【請求項３】
一側端部の垂直端面側を除く三方が壁面で囲まれた１以上の囲繞領域内に接続端子が配設された端子台と、該端子台のいずれかの前記接続端子に接続される請求項１または２に記載の接続用クリップとで構成され、前記一側クリップ片は、前記接続端子における前記垂直端面側からみて奥側の位置に先端部が備える前記導通接触部を配置し、他側クリップ片は、前記垂直端面に前記先端部の内側面を当接支持させて配置するとともに、他側クリップ片の前記先端部を固定側とし、一側クリップ片の前記先端部を前記接続端子への圧接側としてこれら先端部相互間に挟持力を生成させて位置固定させることにより、一側クリップ片がその先端部に備える前記導通接触部を介して前記接続端子に電気的に接触させたことを特徴とする接続用クリップと端子台の接続端子との接続構造。
【発明の詳細な説明】
【０００１】
【発明の属する技術分野】
本発明は、安定した接触状態のもとで端子台の接続端子に電気的に接触させることができる接続用クリップおよび該クリップと端子台の接続端子との接続構造に関する。
【０００２】
【従来の技術】
図４は、配電盤用ブレーカー等の端子台の一例を示す説明図であり、その一側端部１０２にあって前側垂直面１０８側を除いた三方を壁面１０３により囲繞されて画成される例えば計３カ所の各囲繞領域に確保される平坦部１０４に導電性ねじからなる接続端子１０５が各別に配設されて端子台１０１が形成されている。
【０００３】
図５は、図４に示す接続端子１０５に接続される接続用クリップ３を一端２側に備えてなる接続コード１の一例を示す説明図である。
【０００４】
この場合、接続用クリップ３は、ワッシャー１０６を介してリード側端子１０７を端子台１０１側に固定している接続端子１０５側に常に閉方向に付勢された状態で導入される先端部４ａ，６ａと、該先端部４ａ，６ａの側を強制的に開操作するための基端部４ｂ，６ｂとを有して軸受部４ｃ，６ｃ相互を支軸８で軸支した一側クリップ片４と他側クリップ片６とで形成されている。
【０００５】
このため、接続用クリップ３を接続端子１０５に接続するに際しては、基端部４ｂ，６ｂを相互に接近する方向へと押圧することにより、先端部４ａ，６ａを開操作することができる。そして、この状態で先端部４ａ，６ａに設けられている導電性掛止片５，７を接続端子１０５側に配置し、基端部４ｂ，６ｂ側の押圧力を解除することにより導電性掛止片５，７を接続端子１０５側に強制的に掛止もしくは挟着させることができ、これにより電気的な接続状態を得ることができる。
【０００６】
【発明が解決しようとする課題】
しかし、従来からある上記接続用クリップ３による場合には、端子台１０１の接続端子１０５が例えば図示例のようにねじで形成されており、その頭部が滑りやすかったり、接続端子１０５の形状に導電性掛止片５，７の側が対応合致しないようなとき、安定した接続状態を維持できなくなる不都合があった。
【０００７】
本発明は、従来技術の上記課題に鑑み、接続用クリップを端子台の接続端子に常に安定した状態で電気的に接続することができる接続用クリップおよび該クリップと端子台の接続端子との接続構造を提供することを目的とする。
【０００８】
【課題を解決するための手段】
本発明は、上記目的を達成するためになされたものであり、そのうちの第１の発明（接続用クリップ）は、常に閉方向に付勢されて相手材である端子台に設けられた接続端子側に向けられる先端部と、該先端部の側を強制的に開操作するための基端部とを有して軸受部相互が軸支された一側クリップ片と他側クリップ片とで前記接続端子への電気的な導通接触を自在に形成される接続用クリップにおいて、前記一側クリップ片は、他側クリップ片の前記先端部方向に向けて突出させた導通接触部を前記先端部の開放端近傍の内側面側に備え、前記他側クリップ片は、前記先端部の長さが一側クリップ片の前記先端部よりも長くして形成され、前記端子台の一側端部における垂直端面側を除く三方が壁面で囲まれた囲繞領域内に配設された前記接続端子の奥側へと一側クリップ片の前記導通接触部を配置し、他側クリップ片の前記先端部を端子台の内側面を前記垂直端面側に当接支持させた際に、前記先端部相互間で前記接続端子への挟持力の生成を可能としたことに特徴がある。この場合、他側クリップ片の前記先端部は、前記接続端子側から引き出されたリード側端子を導出するための切欠部を前記開放端側に設けておくのが望ましい。
【０００９】
また、第２の発明（接続構造）は、 一側端部の垂直端面側を除く三方が壁面で囲まれた１以上の囲繞領域内に接続端子が配設された端子台と、該端子台のいずれかの前記接続端子に接続される請求項１または２に記載の接続用クリップとで構成され、前記一側クリップ片は、前記接続端子における前記垂直端面側からみて奥側の位置に先端部が備える前記導通接触部を配置し、他側クリップ片は、前記垂直端面に前記先端部の内側面を当接支持させて配置するとともに、他側クリップ片の前記先端部を固定側とし、一側クリップ片の前記先端部を前記接続端子への圧接側としてこれら先端部相互間に挟持力を生成させて位置固定させることにより、一側クリップ片がその先端部に備える前記導通接触部を介して前記接続端子に電気的に接触させたことに特徴がある。
【００１０】
【発明の実施の形態】
図１は、本発明に係る接続用クリップの一例を示す説明図であり、そのうちの（ａ）は不使用時における状態を、（ｂ）は使用時における状態をそれぞれ示す。
【００１１】
同図によれば、接続コード１の一端２側に付設される接続用クリップ１１の全体は、介在させたねじりコイルばねなどからなる図示しないばね材により常に閉方向に付勢されて相手材である図４の接続端子１０５側に向けられる先端部１３，２３と、これら先端部１３，２３の側を強制的に開操作するための基端部１６，２６を有して軸受部１７，２７相互が支軸３２を介して軸支された一側クリップ片１２と他側クリップ片２２とで接続端子１０５への導通接触を自在に形成されている。
【００１２】
すなわち、一側クリップ片１２は、その先端部１３の内側面１４にて他側クリップ片２２の先端部２３方向へとその接触端１５ａを突設させた導通接触部１５を備えており、該導通接触部１５は、基端部１６側へと導かれて接続コード１の一端２側にて電気的に接続されている。
【００１３】
一方、他側クリップ片２２は、基端部２６側が開閉用の操作レバー２６ａとなっているほか、その先端部２３は、一側クリップ片１２の先端部１３の長さよりもその長さを所要長分だけ長く形成することで、端子台１０１の垂直端面１０８側への内側面２４を介しての当接支持が可能となって形成されている。
【００１４】
このため、その不使用時には、他側クリップ片２２の先端部２３側がその開放端２３ａ側を突出させた状態のもとで一側クリップ片１２の先端部１３側に圧接して図１（ａ）に示すように閉止されることになる。
【００１５】
また、使用するに際しては、他側クリップ片２２の基端部２６を開閉用の操作レバー２６ａとして一側クリップ片１２の基端部１６側に押圧することにより、バネ材の付勢力に抗して先端部１３，２３相互を図１（ｂ）に示すように開操作することができる。
【００１６】
図２は、一側クリップ片１２の先端部１３と他側クリップ片２２の先端部２３との一例を要部を拡大して示す斜視図であり、この場合、導通接触部１５は、鋸歯状を呈する接触端１５ａを他側クリップ片２２の先端部２３の側に向けて突出させた状態のもとで先端部１３の開放端１３ａ近傍の内側面１４側に配設されている。また、他側クリップ片２２の先端部２３には、その開放端２３ａ側から中央部位を溝状に切り欠いてなる切欠部２５が形成されており、該切欠部２５を介して接続端子１０５側から引き出されたリード側端子１０７を円滑に導出できるようになっている。
【００１７】
一側クリップ片１２の先端部１３に配設される導通接触部１５の接触端１５ａの形状は、図示例に限定されるものではなく、接続端子１０５側の接触部位に確実に接触させることができるものであれば、舌片形状や湾曲形状を呈するなど、適宜形状のものを採用することができる。なお、導通接触部１５の接触端１５ａには、弾性変形が自在なばね性を付与して形成することもできる。
【００１８】
また、他側クリップ片２２の先端部２３に設けられる切欠部２５の形状についても、先端部２３の開放端２３ａ側からその幅方向での略半分程度を切り欠くなどして形成することができる。さらに、リード側端子１０７の位置によっては、一側クリップ片２２の先端部２３に切欠部２５を設けないでおくこともできる。
【００１９】
さらに、一側クリップ片１２と他側クリップ片２２とは、それぞれの先端部１３，２３に対しその開度の程度により内側面１４，２４相互に適宜間隔をおいた平行状態が確保できる形状を軸受部１７，２７相互に付与して形成しておくのが望ましい。
【００２０】
次に、本発明に係るクリップと端子台の接続端子との接続構造を、上記した接続用クリップ１１の作用とともに説明する。
【００２１】
すなわち、図４に示す配電盤用ブレーカーの端子台１０１を例にその接続構造を説明すれば、該端子台１０１の一側端部１０２に各壁面１０３により垂直端面１０８側を除く三方が囲繞されて画成された３個のそれぞれの囲繞領域１０４内にワッシャー１０６を介してリード側端子１０７を端子台１０１側に固定させたねじにより形成された各接続端子１０５の少なくともいずれかひとつに接続用クリップ１１が例えば図３に示すようにして接続されている。
【００２２】
これをより詳しく説明すれば、クリップ１１を構成している一側クリップ片１２と他側クリップ片２２とは、一方の基端部２６の側をバネ材の付勢力に抗して他方の基端部１６側へと押圧することにより、図１（ｂ）に示すように先端部２３の側を先端部１３との関係で開方向へと操作することができる。
【００２３】
この状態のもとで一側クリップ片１２は、所定の接続端子１０５の頂面に対し直進する方向で、かつ、一側端部１０２の垂直端面１０８側からみて奥側に位置する囲繞領域１０４内に先端部１３が備える導通接触部１５を配置するとともに、他側クリップ片２２は、垂直端面１０８に先端部２３の開放端２３ａ側の内側面２４を当接支持させて配置する。
【００２４】
しかる後、他側クリップ片２２の先端部２３を垂直端面１０８に対する固定側とし、一側クリップ片１２の先端部１３が備える導通接触部１５を接続端子１０５への圧接側とした上で、他側クリップ片２２の基端部２６への押圧力を解除することにより、先端部１３，２３相互間に生成される挟持力により接続用クリップ１１を接続端子１０５の側に位置固定させることができる。
【００２５】
このため、他側クリップ片２２の先端部２３の内側面２４を一側端部１０２の垂直端面１０８に当接させて支持させた状態のもとで、一側クリップ片１２の先端部１３がその内側面１４に有する導通接触部１５の接触端１５ａを接続端子１０５の側に圧接させることができる。
【００２６】
したがって、クリップ１１は、その先端部１３，２３を介して接続端子１０５を含む端子台１０１側に安定的に支持させながら接続端子１０５と導通接触部１５とを接触させて、電気的な接触導通状態を確保することができる。
【００２７】
また、他側クリップ片２２の先端部２３に切欠部２５が形成されている場合には、一側クリップ片１２の先端部１３が有する導通接触部１５の接触端１５ａを接続端子１０５の側に圧接させた際に、該接続端子１０５に固定されているリード側端子１０７を円滑に外方へと導出することができる。
【００２８】
しかも、測定を終えた後は、単に他側クリップ片２２の基端部２６の側をバネ材の付勢力に抗して一側クリップ片２２の基端部１６側へと押圧することにより、先端部１３が備える導通接触部１５の接触端１５ａを接続端子１０５から引き離しながら接続用クリップ１１を取り外すことができる。
【００２９】
【００３０】
【発明の効果】
以上述べたように本発明によれば、接続用クリップは、その他側クリップ片の先端部の長さを一側クリップ片の先端部よりも長くして形成してあるので、他側クリップ片の先端部の内側面を端子台の垂直端面に面接触させた状態のもとで、一側クリップ片の先端部がその内側面に有する導通接触部の側を接続端子に圧接させて端子台側に安定的に支持させることができる。
【００３１】
特に、他側クリップ片の先端部に切欠部が形成されている場合には、一側クリップ片の先端部の側を接続端子に圧接させた際に、該接続端子に固定されているリード側端子を円滑に外方へと導出することができるので、作業性の向上を図ることができるばかりでなく、接続用クリップと接続端子とをより好ましい状態のもとで接続させることができる。
【図面の簡単な説明】
【図１】本発明に係る接続用クリップの閉状態を（ａ)として、開状態を（ｂ）としてそれぞれ例示した説明図。
【図２】図１に示す接続用クリップの先端部を拡大して示す要部斜視図。
【図３】本発明に係る接続構造の一例を一部を切り欠いて示す説明図。
【図４】一般に用いられている配電盤用ブレーカーの端子台の一例を示す説明図。
【図５】図４に示す接続端子と従来からある接続用クリップとの接続例を一部を切り欠いて示す説明図。
【符号の説明】
１ 接続コード
２ 一端
３ 接続用クリップ
４ 一側クリップ片
４ａ 先端部
４ｂ 基端部
４ｃ 軸受部
５ 導電性掛止片
６ 他側クリップ片
６ａ 先端部
６ｂ 基端部
６ｃ 軸受部
７ 導電性掛止片
８ 支軸
１１ 接続用クリップ
１２ 一側クリップ片
１３ 先端部
１３ａ 開放端
１４ 内側面
１５ 導通接触部
１５ａ 接触端
１６ 基端部
１７ 軸受部
２２ 他側クリップ片
２３ 先端部
２３ａ 開放端
２４ 内側面
２５ 切欠部
２６ 基端部
２６ａ 操作レバー
２７ 軸受部
３２ 支軸
１０１ 端子台
１０２ 一側端部
１０３ 壁面
１０４ 囲繞領域
１０５ 接続端子
１０６ ワッシャー
１０７ リード側端子
１０８ 垂直端面
【図１】
0004603150.tif 000002
【図２】
0004603150.tif 000003
【図３】
0004603150.tif 000004
【図４】
0004603150.tif 000005
【図５】
0004603150.tif 000006